(57)【要約】【課題】ユーザ自身が個人で問題を作り、その問題を公開する。その公開された問題に対して別なユーザが解答することにより、みんなで知識を教えあい、確かめ合う個人用知識公開装置、個人用公開方法、およびそのプログラムを提供することを目的とする。【解決手段】通信回線５０を介して１つ以上のクライアント端末１０ｘと接続された個人用知識公開装置７０であって、あるクライアント端末１０ｘから送信された問題を受信して知識データベース記憶部７０ａに記憶するデータベース登録手段７４と、登録された前記問題を通信回線を介してクライアント端末に公開する知識表示手段８２と、公開された前記問題の解答をクライアント端末より受信する送受信部７１と、予め前記知識データベースに記憶されている評価基準により評価をする評価設定手段７６と、を備える。【選択図】図１
2008059138.tif 000002
【特許請求の範囲】
【請求項１】
通信回線を介して１つ以上のクライアント端末と接続された個人用知識公開装置であって、
あるクライアント端末から送信された問題を受信して知識データベース記憶部に記憶するデータベース登録手段と、
登録された前記問題を通信回線を介してクライアント端末に公開する知識表示手段と、
公開された前記問題の解答をクライアント端末より受信する送受信部と、
予め前記知識データベース記憶部に記憶されている評価基準により評価をする評価設定手段と、
を備えた個人用知識公開装置。
【請求項２】
受信した解答者のデータベースを記憶する解答者データベース記憶部と、
問題とその解答を区分けして前記知識データベース記憶部と前記解答者データベース記憶部に記憶させるデータベースアクセス部と、
をさらに備える請求項１に記載の個人用知識公開装置。
【請求項３】
登録された問題に関連する広告を検索する広告マッチング手段と、
検索された広告を問題に関係付けて表示する広告表示手段と、
をさらに備えた請求項１または２に記載の個人用知識公開装置。
【請求項４】
前記問題へのアクセス回数を前記知識データベース記憶部に記憶し、記憶されているアクセス回数により問題ランキングと出題者ランキングを演算して表示するランキング表示手段をさらに備えた請求項２に記載の個人用知識公開装置。
【請求項５】
前記解答者データベース記憶部に、問題に対する解答と前記評価設定手段による得点と、同一問題に対して他のユーザより解答があった場合の得点を比較演算した得点ランキングとを記憶し、前記ランキング表示手段によりさらに該得点ランキングを表示する請求項４に記載の個人用知識公開装置。
【請求項６】
問題作成者が問題に付した検定属性であるタグを表示するタグ表示手段と、
前記知識データベース記憶部に記憶されている問題を前記クライアント端末からのタグ情報を受信して検索をする検索手段と、
をさらに備えた請求項１から５のいずれかに記載の個人用知識公開装置。
【請求項７】
通信回線を介して１つ以上のクライアント端末と接続されたコンピュータを個人用知識公開装置として機能させるプログラムであって、
前記コンピュータに、
あるクライアント端末から送信された問題を受信して知識データベース記憶機能に記憶するデータベース登録機能と、
登録された前記問題を通信回線を介してクライアント端末に公開する知識表示機能と、
公開された前記問題の解答をクライアント端末より受信する送受信機能と、
予め前記知識データベース記憶機能に記憶されている評価基準により評価をする評価設定機能と、
を実現させるためのプログラム。
【請求項８】
受信した解答者のデータベースを記憶する解答者データベース記憶機能と、
問題とその解答を区分けして前記知識データベース記憶機能と前記解答者データベース記憶機能に記憶させるデータベースアクセス機能と、
をさらに実現させるための請求項７に記載のプログラム。
【請求項９】
登録された問題に関連する広告を検索する広告マッチング機能と、
検索された広告を問題に関係付けて表示する広告表示機能と、
をさらに実現させるための請求項８に記載のプログラム。
【請求項１０】
前記問題への予め定められた期間内のアクセス回数を前記知識データベース記憶機能に記憶し、記憶されているアクセス回数より問題ランキングと出題者ランキングを演算して表示するランキング表示機能をさらに実現させるための請求項８または９に記載のプログラム。
【請求項１１】
前記解答者データベース記憶機能に、問題に対する解答と前記評価設定機能による得点と、同一問題に対して他のユーザより解答があった場合の得点を比較演算した得点ランキングとを記憶し、前記ランキング表示機能によりさらに該得点ランキングを表示することを実現させるための請求項１０に記載のプログラム。
【請求項１２】
問題作成者が問題に付した検定属性であるタグを表示するタグ表示機能と、
前記知識データベース記憶機能に記憶されている問題をクライアント端末からのタグ情報を受信して検索をする検索機能と、
さらに実現させるための請求項７から１１のいずれかに記載のプログラム。
【請求項１３】
通信回線を介して１つ以上のクライアント端末と接続されたサーバに用いられる個人用知識公開方法であって、
あるクライアント端末から送信された問題を受信して知識データベース記憶部に記憶するデータベース登録ステップと、
登録された前記問題を通信回線を介してクライアント端末に公開する知識表示ステップと、
公開された前記問題の解答をクライアント端末より受信するステップと、
予め前記知識データベース記憶部に記憶されている評価基準により評価をする評価設定ステップと、
公開された前記問題の解答をクライアント端末より受信して予め前記知識データベース記憶部にて記憶されている評価基準により評価をする評価設定ステップと、
を有する個人用知識公開方法。
【発明の詳細な説明】
【技術分野】
【０００１】
本発明は、公衆通信回線上で個人の知識を公開する個人用知識公開装置、個人用公開方法、およびそのプログラムに関する。
【背景技術】
【０００２】
個々の個人が有する知識をインターネットを介して検索することが、インターネットの普及により多く行われるようになってきた。特に、知恵袋というサービスにより、ユーザの質問に対して、別の知っているユーザが回答するというサービスの利用が急速に増加している（参考文献１、非特許文献１参照）。
【０００３】
一方、一般的に、人は自分が知っている知識を披露したいという欲求がある。しかし、従来の知恵袋では、自分の得意の分野の質問がこないと回答できないので利用が制限されていた。
【特許文献１】特開２００５−３０２０００号公報
【非特許文献１】ＹＡＨＯＯ！  知恵袋  ｈｔｔｐ：／／ｃｈｉｅｂｕｋｕｒｏ．ｙａｈｏｏ．ｃｏ．ｊｐ／ｐｒｏｍｏ／
【発明の開示】
【発明が解決しようとする課題】
【０００４】
したがって、ユーザ自身が個人で問題を作り、その問題を公開する。その公開された問題に対して別のユーザが解答することにより、みんなで知識を教えあい、確かめ合う装置、プログラム、方法等があれば望ましい。
【０００５】
そこで、本発明は、公衆通信回線上で個人の知識を公開する個人用知識公開装置、個人用公開方法、およびそのプログラムを提供することを目的とする。
【課題を解決するための手段】
【０００６】
本発明者らは、ユーザ自身が個人で問題を作り、その問題を公開することの有用性を見出し、本発明を完成するに至った。
【０００７】
（１）  通信回線を介して１つ以上のクライアント端末と接続された個人用知識公開装置であって、あるクライアント端末から送信された問題を受信して知識データベース記憶部に記憶するデータベース登録手段と、登録された前記問題を通信回線を介してクライアント端末に公開する知識表示手段と、公開された前記問題の解答をクライアント端末より受信する送受信部と、予め前記知識データベース記憶部に記憶されている評価基準により評価をする評価設定手段と、を備えた個人用知識公開装置。
【０００８】
（１）の発明によれば、本発明の個人用知識公開装置は通信回線を介して１つ以上のクライアント端末と接続されている。あるクライアント端末から問題が送信されるとこれを受信して個人用知識公開装置の内蔵されているデータベース登録手段により知識データベース記憶部に記憶する。知識データベース記憶部に記憶されている問題を通信回線を介して知識表示手段によりクライアント端末に公開する。公開された問題の解答をクライアント端末より送受信部により受信して、予め知識データベース記憶部に記憶されている評価基準を用いて評価設定手段により評価をする。
【０００９】
このようにしてユーザ自身が個人で問題を作り、その問題を通信回線上、すなわちインターネット上で公開する。問題を見た別のユーザは興味を持ち、問題にそって解答をする。問題は複数の質問で構成される検定問題であることが望ましい。検定問題の方がある知識について関連した知識について質問でき、その結果ユーザは興味を持つし、一連の知識についてテストを行い判定できるからである。
【００１０】
一般に、知識が豊富な人は自分の知識を披露したがる。この欲望が、ユーザ自身が個人で問題を作成して、公開することにより満たされる。つまり、逆知恵袋とも言える機能が発揮される。さらに、お互いに問題のかたちで交換することにより、より知識の幅が広くなり、理解が深まる。
【００１１】
（２）  受信した解答者のデータベースを記憶する解答者データベース記憶部と、問題とその解答を区分けして前記知識データベース記憶部と前記解答者データベース記憶部に記憶させるデータベースアクセス部と、をさらに備える（１）に記載の個人用知識公開装置。
【００１２】
（２）に記載の発明は、（１）に記載の発明に受信した解答者のデータベースを記憶する解答者データベース記憶部をさらに備える。ユーザが作成した問題と解答者からの解答を区別して記憶することができる。問題も各ユーザから多数送信されるようになり、この解答も多数になると錯綜する。この問題を解決するため、データベースアクセス部を備えて、問題とその解答を区分けして知識データベース記憶部と解答者データベース記憶部に記憶させる。このようにして、大量のデータを効率よく制御することができる。
【００１３】
（３）  登録された問題に関連する広告を検索する広告マッチング手段と、検索された広告を問題に関係付けて表示する広告表示手段とをさらに備えた（１）または（２）に記載の個人用知識公開装置。
【００１４】
（３）に記載の発明は、（１）または（２）に記載の発明に登録された問題に関連する広告を検索する広告マッチング手段と検索された広告を問題に関係付けて表示する広告表示手段とをさらに備えるので、問題に関連して適切な広告がなされる。適切な広告がなされることにより、問題に加えて全体のイメージが向上する。また、適切な広告が見られるので、購買意欲が向上し経済の活性化に貢献する。また、個人用知識公開装置を運営する業者にとっては、広告収入を確保することができるので、長期にわたって事業を続けることができる。
【００１５】
（４）  前記問題へのアクセス回数を前記知識データベース記憶部に記憶し、記憶されているアクセス回数より問題ランキングと出題者ランキングを演算して表示するランキング表示手段をさらに備えた（２）に記載の個人用知識公開装置。
【００１６】
（４）に記載の発明は、（２）に記載の発明に予め定められた期間内のアクセス回数を前記知識データベース記憶部に記憶し、記憶されているアクセス回数より問題ランキングと出題者ランキングを演算子して表示するランキング表示手段をさらに備える。ランキング表示手段によりどの問題が人気があるか、どの出題者が人気があるかが分かる。したって、問題を探しているユーザは人気の有る問題を探しやすいし、出題者は出題した問題の評判を把握することができる。また、人気の有る出題者にランクされることで、知識を披露したいという欲求が満たされる。
【００１７】
（５）  前記解答者データベース記憶部に、問題に対する解答と前記評価設定手段による得点と、同一問題に対して他のユーザより解答があった場合の得点を比較演算した得点ランキングとを記憶し、前記ランキング表示手段によりさらに該得点ランキングを表示する（４）に記載の個人用知識公開装置。
【００１８】
（５）に記載の発明は、（４）に記載の発明に、さらに解答者の得点ランキングをランキング表示手段により表示する。得点ランキングを見た解答者は、自分がどの程度の成績であるかを見ることができ、今後の解答者自身がいかに知識を充実させるかの指針となる。
【００１９】
（６）  問題作成者が問題に付した検定属性であるタグを表示するタグ表示手段と、前記知識データベース記憶部に記憶されている問題を前記クライアント端末からのタグ情報を受信して検索をする検索手段と、をさらに備えた（１）から（５）のいずれかに記載の個人用知識公開装置。
【００２０】
（６）に記載の発明は、上記の発明に加えて、記憶されている問題の検索をする検索手段をさらに備える。検索手段によりユーザが好みの問題を検索することができるので使いやすい個人用知識公開装置を提供することができる。特にタグ表示手段を備えるので、問題の作成者が設定したタグにより検索することができ、同じジャンルやカテゴリーの問題を検索することができる。
【００２１】
（７）  通信回線を介して１つ以上のクライアント端末と接続されたコンピュータを個人用知識公開装置として機能させるプログラムであって、前記コンピュータに、あるクライアント端末から送信された問題を受信して知識データベース記憶機能に記憶するデータベース登録機能と、登録された前記問題を通信回線を介してクライアント端末に公開する知識表示機能と、公開された前記問題の解答をクライアント端末より受信する送受信機能と、予め前記知識データベース記憶機能に記憶されている評価基準により評価をする評価設定機能と、を実現させるためのプログラム。
【００２２】
（７）の発明は、プログラムに関するものである。これらのプログラムをコンピュータに読み込ませて動作させることにより（１）の発明と同様な作用効果を得ることができる。
【００２３】
（８）  受信した解答者のデータベースを記憶する解答者データベース記憶機能と、
問題とその解答を区分けして前記知識データベース記憶機能と前記解答者データベース記憶機能に記憶させるデータベースアクセス機能と、をさらに実現させるための（７）に記載のプログラム。
【００２４】
（８）の発明は、プログラムに関するものである。これらのプログラムをコンピュータに読み込ませて動作させることにより（２）の発明と同様な作用効果を得ることができる。
【００２５】
（９）  登録された問題に関連する広告を検索する広告マッチング機能と、検索された広告を問題に関係付けて表示する広告表示機能と、をさらに実現させるための（７）または（８）に記載のプログラム。
【００２６】
（９）の発明は、プログラムに関するものである。これらのプログラムをコンピュータに読み込ませて動作させることにより（３）の発明と同様な作用効果を得ることができる。
【００２７】
（１０）  前記問題への予め定められた期間内のアクセス回数を前記知識データベース記憶機能に記憶し、記憶されているアクセス回数より問題ランキングと出題者ランキングを演算して表示するランキング表示機能をさらに実現させるための（８）または（９）に記載のプログラム。
【００２８】
（１０）の発明は、プログラムに関するものである。これらのプログラムをコンピュータに読み込ませて動作させることにより（４）の発明と同様な作用効果を得ることができる。
【００２９】
（１１）  前記解答者データベース記憶機能に、問題に対する解答と前記評価設定機能による得点と、同一問題に対して他のユーザより解答があった場合の得点を比較演算した得点ランキングとを記憶し、前記ランキング表示機能によりさらに該得点ランキングを表示することをさらに実現させるための（１０）に記載のプログラム。
【００３０】
（１１）の発明は、プログラムに関するものである。これらのプログラムをコンピュータに読み込ませて動作させることにより（５）の発明と同様な作用効果を得ることができる。
【００３１】
（１２）  問題作成者が問題に付した検定属性であるタグを表示するタグ表示機能と、前記知識データベース記憶機能に記憶されている問題をクライアント端末からのタグ情報を受信して検索をする検索機能と、さらに実現させるための（７）から（１１）のいずれかに記載のプログラム。
【００３２】
（１２）の発明は、プログラムに関するものである。これらのプログラムをコンピュータに読み込ませて動作させることにより（６）の発明と同様な作用効果を得ることができる。
【００３３】
（１３）  通信回線を介して１つ以上のクライアント端末と接続されたサーバに用いられる個人用知識公開方法であって、あるクライアント端末から送信された問題を受信して知識データベース記憶部に記憶するデータベース登録ステップと、登録された前記問題を通信回線を介してクライアント端末に公開する知識表示ステップと、公開された前記問題の解答をクライアント端末より受信するステップと、予め前記知識データベース記憶部に記憶されている評価基準により評価をする評価設定ステップと、公開された前記問題の解答をクライアント端末より受信して予め前記知識データベース記憶部にて記憶されている評価基準により評価をする評価設定ステップと、を有する個人用知識公開方法。
【００３４】
（１３）の発明は個人用知識公開方法に関するものである。これらの方法を使うことにより、（１）の説明と同様の作用効果を得ることができる。
【発明の効果】
【００３５】
本発明によれば、ユーザ自身が個人で問題を作り、その問題を公開する。その公開された問題に対して別なユーザが解答することにより、みんなで知識を与えあい、確かめ合う個人用知識公開装置、個人用公開方法、およびそのプログラム提供することができる。
【発明を実施するための最良の形態】
【００３６】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００３７】
［実施例］
図１は、本発明の好適な一実施形態である個人用知識公開装置の概略を示した図である。図２は、本発明の１つの実施例である「みんなの検定」についての概念を示した図である。図３は、本発明の個人用知識公開装置を「みんなの検定」に適用した場合の動作のフローを示す図である。図４は、本発明の１つの実施例である「みんなの検定」の最初の画面であり、図５は、本発明の１つの実施例である「みんなの検定」の自分用の画面である。図６は、知識データベースの構成を示す図であり、図７は、解答者データベースの構成を示す図であり、図８は解答者データベースの構成を示す図である。以下本発明について、図１から図８を参照して説明をする。
【００３８】
図１の実施形態において個人用知識公開装置７０は、１つ以上のクライアント端末（１０ａ・・・１０ｘ・・・１０ｙ、以下１０ｘという）と相互に通信回線５０により接続されている。
【００３９】
個人用知識公開装置７０には、通信回線５０を介してクライアント端末１０ｘと送受信を行う送受信部７１と、知識作成部７２と知識公開、実施部８０と、登録された問題を知識データベースとして変換するデータベースアクセス部９０を有する。知識作成部７２には、クライアント端末１０ｘから送信された問題を受信して登録するデータベース登録手段７４と、評価設定手段７６と、登録された問題に関連する広告を検索する広告マッチング手段７８とが含まれる。
【００４０】
個人用知識公開装置７０には、内蔵のデータベースアクセス部９０を介して知識データベース記憶部７０ａと、解答者のデータベースを記憶する解答者データベース記憶部７０ｂと、広告データベース記憶部７０ｃとが接続されている。
【００４１】
知識公開、実施部８０には、知識データベース記憶部７０ａに記憶されている問題を通信回線５０を介して送信可能に変換するタグ表示手段８６と、変換された問題を通信回線５０を介してクライアント端末１０ｘに公開する知識表示手段８２と、問題への予め定められた期間内のアクセス回数を前記知識データベース記憶部に記憶し記憶されているアクセス回数より問題ランキングと出題者ランキングを演算子して表示するランキング表示手段８４、検索された広告を問題に関係付けて表示する広告表示手段８８と、知識データベース記憶部に記憶されている問題を前記クライアント端末からの検索信号を受信して検索をする検索手段８９とが含まれる。
【００４２】
図２は、本発明の１つの実施例である「みんなの検定」についての概念を示した図である。図２に示すように、クライアント端末１０ｘに接続されたユーザであるお客様自身が検定を作り、みんなで知識を教えあう、検定の概念を覆す、Ｗｅｂ２．０時代のサービスである。また、「みんなの検定」は人と人を結びつけるための検定型のＳＮＳ（Ｓｏｃｉａｌ  Ｎｅｔｗｏｒｋｉｎｇ  Ｓｉｔｅ）である。すなわち、従来型の検定は企業等の組織団体で作成され、インターネット等で公開されるものが多かった。これに対して、本願発明の実施例では図２に示すように、趣味、知識、得意分野も異なるＡさんとＢさんが個人的に気軽に検定問題を作成してお互いに交換することにより、お互いの知識も深まり、相補うようになる。これを、Ｗｅｂ２．０時代の技術を有用に活用して、各個人がサービスを構築して、豊かなユーザ体験を提供する。
【００４３】
図３は、本発明の個人用知識公開装置を「みんなの検定」に適用した場合の動作のフローを示す図であり、以下図３に従って説明する。ユーザがあるクライアント端末１０ｘから個人用知識公開装置７０に通信回線５０を介してアクセスすると、「みんなの検定」のトップ画面が通信回線５０を介してクライアント端末１０ｘに表示される（Ｓ１１０）。トップ画面は、図４に示すような画面が表示される。また、最初のみ利用規約の確認の画面が表れる（Ｓ１２０）。
【００４４】
図４において、最初の場合は検定を始めようの部分をクリックすると、検定を登録しようの画面が表われる。個々で登録のボタンをクリックすると、図５の「Ｍｙページの画面」が表示される（Ｓ１３０）。ここで、ユーザは図５の画面の参照用を参照しながら、自分用のインターネット検定の各項目の登録をする。登録に際しては、知識データベース記憶部７０ａに記憶されている最新情報が必要に応じて読み出されて表示される（Ｓ１４０）。各項目について編集を行い編集が終了するとデータベース登録手段７４により登録される（Ｓ１５０）。
【００４５】
登録は、図６に示すような知識データベースのかたちで知識データベース記憶部７０ａに記憶される。図６の例では、知識問題のタイトル、問題ＩＤ、ユーザＩＤすなわち出題者ＩＤ、問題、正解、評価基準、広告ＩＤ，問題ランキング、出題者ランキング等が記憶される。また、広告ＩＤは広告データベース記憶部７０ｃに連動している。
【００４６】
登録後、別のユーザがクライアント端末１０ｙより個人用知識公開装置７０の「みんなの検定」にアクセスすると、みんなの検定の図４のトップ画面が表示される。このトップ画面を見て、ユーザはおすすめ検定をみたり、新着検定をみたり、人気タグを見ることにより、自分が行いたい検定を探す。探した後、自分が受けたい検定に決めてクリックすると図７の「○×検定のページ」の画面が表れる（Ｓ１６０）。
【００４７】
「○×検定のページ」の画面を見ることにより、検定名称の検定がどのような評判であるが、どのくらいの人が受験しているか等の情報を見て、受験しても良いと判断した場合は、「受験する」のボタンをクリックして受験する（Ｓ１７０）。受験した内容は解答者データベース記憶部７０ｂに記憶される。解答者データベースの内容は図８に示す。解答者データベースはユーザＩＤ、問題ＩＤ、解答、点数、得点ランキングである。
【００４８】
［検定問題の具体的実施例］
次に、韓国ドラマを検定名としたより具体的な例について説明する。図９は、新規作成の場合の基本設定の具体例である。図１０は、問題を設定する画面であり、図１１は、評価基準設定の画面である。図１２は、登録後の検定の選択に使われる具体的な画面である。
【００４９】
図９に示すように、新規作成の基本設定を行う。この例では、検定名は「韓国ドラマ」であり、検定概要は、「ここ４、５年で放送された韓国ドラマに関する問題」で問題数と判定基準を５問として入力する。また、先の検索のためにタグの登録を行う。タグは自分が作成した検定問題のジャンルやカテゴリーをつけることにより、大量の検定問題より検索しやすくすることを目的とする。この例ではタグとして「ドラマ」を入力する。
【００５０】
基本設定をした後、具体的な問題を自己の韓国ドラマの知識に基づき設定する。当然のことながら、自己の知識に自信がない場合は文献、インターネット等で調査しても良い。問題を設定した後に評価基準を設定する。図１１に示すように、５問正解の場合は、評価名を「秀」とし、評価メッセージとして「韓国ドラマ通です」等と入力する。正解３から４問の場合は、評価名を「普通」とし、評価メッセージを「韓国ドラマファンです」と入力する。また、正解数が２問以下の場合は、評価名を「努力を要す」とし、評価メッセージを「もう少し韓国ドラマを見ましょう」等と入力する。入力した情報は個人用知識公開装置７０に送信され、データベース登録手段７４により知識データベース記憶部７０ａに記憶される。
【００５１】
以上の様にして、ユーザ自身が個人で検定問題を作り、その検定問題を通信回線上、すなわちインターネット上で公開し、問題を見た別のユーザは興味を持ち、検定問題にそって解答をすることができる。一般に、知識が豊富な人は自分の知識を披露したがる。この欲望を、ユーザ自身が個人で検定問題を作成して、公開することにより欲望が満たされる。つまり、逆知恵袋とも言える機能が発揮される。さらに、お互いに検定問題のかたちで交換することにより、より知識の幅が広くなり、理解が深まる。このような、個人用知識公開装置を提供することができる。
【００５２】
また、上記の図６にあるように、知識データベースには広告ＩＤが問題ＩＤに関連して登録されているので、登録された問題に関連する広告を広告マッチング手段７８により、検索する。検索された広告を問題に関係付けて広告表示手段８８表示することができる。
【００５３】
したがって、問題に関連して適切な広告がなされる。適切な広告がなされることにより、問題に加えてシステム全体のイメージが向上する。また、適切な広告が見られるので、購買意欲が向上し経済の活性化に貢献する。また、個人用知識公開装置を運営する業者にとっては、広告収入を確保することができるので、長期にわたって事業を続けることができる効果がある。
【００５４】
さらに、検定問題へのアクセス回数を知識データベース記憶部７０ａに記憶し、記憶されているアクセス回数より検定問題ランキングと出題者ランキングをランキング表示手段８４により演算して表示する。このように演算した検定問題ランキングと、出題者検定ランキングを表示した例を図１２に示す。図１２の例では、検定問題のランキングとして、「お笑い検定」、次が「地名検定―北海道編」であることが分かる。また、出題者ランキングでは「ＡＡＡＡＡ」、次が「ＢＢＢＢＢ」であることが分かる。
【００５５】
または、解答者データベース記憶部７０ｂに、検定問題に対する解答と評価設定手段７６による得点と、同一問題に対して複数の解答があった場合に得点に基づいて演算された得点ランキングとを記憶し、ランキング表示手段８４により得点ランキングを表示することもできる。
【００５６】
解答者個人の得点ランキングを表示することにより、自分はその分野でどの程度の知識があるか判断することができる。
【００５７】
さらに、どのような検定問題があるか検索する場合に、問題作成者が問題に付した検定属性であるタグを表示するタグ表示手段８６と、知識データベース記憶部７０ａに記憶されている問題をクライアント端末１０ｘからのタグ情報を受信して検索をする検索手段８９と、を個人用知識公開装置７０はさらに備える。したがって、ユーザは表示されているタグを基に検索することができ、同じジャンルや、カテゴリーの検定問題を一覧にしてみることにより自分の好みの検定問題を探し出すことが容易にできる。
【００５８】
また、図１２のように、新着検定問題を表示することもできる。ユーザは一般に新しい問題に関心をもつ。新着問題の一覧が表示されるとその中から選択することもできる。
【００５９】
［個人用知識公開装置のハードウェア構成］
図１３は、図１で説明した個人用知識公開装置７０のハードウェア構成の一例を示す図である。個人用知識公開装置７０は、コンピュータ１００を構成するＣＰＵ（Ｃｅｎｔｒａｌ  Ｐｒｏｃｅｓｓｉｎｇ  Ｕｎｉｔ）１０１０（マルチプロセッサ構成ではＣＰＵ１０１２など複数のＣＰＵが追加されてもよい）、バスライン１００５、通信Ｉ／Ｆ１０４０、メインメモリ１０５０、ＢＩＯＳ（Ｂａｓｉｃ  Ｉｎｐｕｔ／Ｏｕｔｐｕｔ  Ｓｙｓｔｅｍ）１０６０、ＵＳＢポート１０９０、Ｉ／Ｏコントローラ１０７０、ならびにキーボードおよびマウス１１００等の入力手段や表示装置１０２２を備える。
【００６０】
Ｉ／Ｏコントローラ１０７０には、テープドライブ１０７２、ハードディスク１０７４、光ディスクドライブ１０７６、半導体メモリ１０７８、等の記憶手段を接続することができる。
【００６１】
ＢＩＯＳ１０６０は、個人用知識公開装置７０の起動時にＣＰＵ１０１０が実行するブートプログラムや、個人用知識公開装置７０のハードウェアに依存するプログラム等を格納する。
【００６２】
記憶部を構成するハードディスク１０７４は、個人用知識公開装置７０として機能するための各種プログラムおよび本発明の機能を実行するプログラムを記憶しており、さらに必要に応じて各種データベースを構成可能である。
【００６３】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１０７７を使用する。光ディスク１０７７から光ディスクドライブ１０７６によりプログラムまたはデータを読み取り、Ｉ／Ｏコントローラ１０７０を介してメインメモリ１０５０またはハードディスク１０７４に提供することもできる。
【００６４】
個人用知識公開装置７０に提供されるプログラムは、ハードディスク１０７４、光ディスク１０７７、またはメモリーカード等の記録媒体に格納されて提供される。このプログラムは、Ｉ／Ｏコントローラ１０７０を介して、記録媒体から読み出され、または通信Ｉ／Ｆ１０４０を介してダウンロードされることによって、個人用知識公開装置７０にインストールされ実行されてもよい。
【００６５】
前述のプログラムは、内部または外部の記憶媒体に格納されてもよい。ここで、記憶部７０ａ等を構成する記憶媒体としては、ハードディスク１０７４、光ディスク１０７７、またはメモリーカードの他に、ＭＤ等の光磁気記録媒体、テープ媒体を用いることができる。また、専用通信回線やインターネットに接続されたサーバシステムに設けたハードディスク１０７４または光ディスクライブラリ等の記憶装置を記録媒体として使用し、プログラムを通信回線を介して個人用知識公開装置７０に提供してもよい。
【００６６】
ここで、表示装置１０２２は、ユーザにデータの入力を受け付ける画面を表示したり、コンピュータ１００による演算処理結果を表示したりするものであり、ブラウン管表示装置（ＣＲＴ）、液晶表示装置（ＬＣＤ）等のディスプレイ装置を含む。
【００６７】
ここで、入力手段は、ユーザによる入力の受付を行うものであり、キーボードおよびマウス１１００等により構成してよい。
【００６８】
また、通信Ｉ／Ｆ１０４０は、コンピュータ１００を専用ネットワークまたは公共ネットワークを介して携帯通信端末１０と接続できるようにするためのネットワーク・アダプタである。通信Ｉ／Ｆ１０４０は、モデム、ケーブル・モデムおよびイーサネット（登録商標）・アダプタを含んでよい。
【００６９】
以上の例は、個人用知識公開装置７０について主に説明したが、コンピュータに、プログラムをインストールして、そのコンピュータを個人用知識公開装置７０として動作させることにより上記で説明した機能を実現することができる。したがって、本発明において一実施形態として説明した個人用知識公開装置７０は、その方法、およびそれらのプログラムによっても実現可能である。
【００７０】
以上、本発明を実施形態、および実施例を用いて説明したが、本発明の技術的範囲は上記実施形態に記載の範囲に限定されない。上記実施形態に、多様な変更または改良を加えることが可能である。また、そのような変更または改良を加えた形態も本発明の技術的範囲に含まれ得ることが、特許請求の範囲の記載から明らかである。例えば、通信回線は公衆回線を利用した有線通信でも無線通信にても良いし専用の通信回線にても同様に実現することができる。また、記憶部は１つのハードウェアとし、パーテーションを区切ることで分けることもできる。
【図面の簡単な説明】
【００７１】
【図１】本発明の好適な一実施形態である個人用知識公開装置の概略を示した図である。
【図２】本発明の１つの実施例である「みんなの検定」についての概念を示した図である。
【図３】本発明の個人用知識公開装置を「みんなの検定」に適用した場合の動作のフローを示す図である。
【図４】本発明の１つの実施例である「みんなの検定」の最初の画面である。
【図５】本発明の１つの実施例である「みんなの検定」の自分用の画面である。
【図６】知識データベースの構成を示す図である。
【図７】解答者が検定問題をアクセスした際の画面である。
【図８】解答者データベースの構成を示す図である。
【図９】新規作成の場合の基本設定の具体例である。
【図１０】検定問題を設定する画面である。
【図１１】検定問題に対する解答の評価基準設定の画面である。
【図１２】登録後の検定の選択に使われる具体的な画面である。
【図１３】個人用知識公開装置のハードウェア構成の一例を示す図である。
【符号の説明】
【００７２】
１０ｘ  クライアント端末
５０  通信回線
７０  個人用知識公開装置
７０ａ  知識データベース記憶部
７０ｂ  解答者データベース記憶部
７０ｃ  広告データベース記憶部
７１  送受信部
７２  知識作成部
７４  データベース登録手段
７６  評価設定手段
７８  広告マッチング手段
８０  知識公開、実施部
８２  知識表示手段
８４  ランキング表示手段
８６  タグ表示手段
８８  広告表示手段
８９  検索手段
９０  データベースアクセス部
【図１】
2008059138.tif 000003
【図２】
2008059138.tif 000004
【図３】
2008059138.tif 000005
【図４】
2008059138.tif 000006
【図５】
2008059138.tif 000007
【図６】
2008059138.tif 000008
【図７】
2008059138.tif 000009
【図８】
2008059138.tif 000010
【図９】
2008059138.tif 000011
【図１０】
2008059138.tif 000012
【図１１】
2008059138.tif 000013
【図１２】
2008059138.tif 000014
【図１３】
2008059138.tif 000015